(57)【要約】【課題】収納作業の作業効率を向上させるとともに低コストで作製することができる収納体を提供する。【解決手段】本発明による収納体１は、一対の内側底フラップ１２および一対の外側底フラップ１３を含む底部１４と、一対の内側天井フラップ１５および一対の外側天井フラップ１６を含む天井部１７と、４つの側板１８とを有する収納ボックス１１を備えている。収納ボックス１１の底部１４の各内側底フラップ１２に、貫通孔２０が形成されている。また、各貫通孔２０に印画紙ロール１を係止する係合部材２１が挿着されている。【選択図】図１
2011073698.tif 000002
【特許請求の範囲】
【請求項１】
一対の印画紙ロールと、インクリボン、繰出ロール、および巻取ロールからなるインクリボンユニットとを収納する収納体において、
一対の内側底フラップおよび一対の外側底フラップを含む底部と、一対の内側天井フラップおよび一対の外側天井フラップを含む天井部と、４つの側板とを有する収納ボックスを備え、
収納ボックスの底部の各内側底フラップに、貫通孔が形成され、各貫通孔に印画紙ロールを係止する係合部材が挿着されたことを特徴とする収納体。
【請求項２】
収納ボックス内は、区画板により、一対の印画紙ロールを収納するロール収納部と、インクリボンユニットを収納するリボン収納部とに区画されていることを特徴とする請求項１に記載の収納体。
【請求項３】
係合部材の高さは、２０〜６０ｍｍであることを特徴とする請求項１または２に記載の収納体。
【請求項４】
係合部材は、樹脂からなることを特徴とする請求項１乃至３のいずれかに記載の収納体。
【請求項５】
係合部材は、紙からなることを特徴とする請求項１乃至３のいずれかに記載の収納体。
【発明の詳細な説明】
【技術分野】
【０００１】
本発明は、一対の印画紙ロールと、インクリボン、繰出ロール、および巻取ロールからなるインクリボンユニットとを収納する収納体に係り、とりわけ、収納作業の作業効率を向上させるとともに低コストで作製することができる収納体に関する。
【背景技術】
【０００２】
一般に、昇華転写プリンターでは、そのプリンター専用のインクリボンと印画紙が使用される。このため、印画紙が巻き付けられて円筒状に形成された印画紙ロールと、インクリボンと、インクリボンが巻き付けられた繰出ロールと、この繰出ロールから繰り出されたインクリボンを巻き取る巻取ロールとを有するインクリボンユニットとが、セットとして流通し、一つの収納体に収納されて輸送されている（例えば、特許文献１参照）。
【０００３】
ここで、収納体に印画紙ロールとインクリボンユニットとを収納する方法として、収納体内に印画紙ロールが収納される領域とインクリボンユニットが収納される領域とを区画する仕切り部材を設け、この仕切り部材に印画紙ロールを係止する複数のキャップを取り付けて、印画紙ロールを保持する方法が考えられている。
【０００４】
このような方法により収納体に印画紙ロールとインクリボンユニットとを収納する場合には、まず、仕切り部材に複数のキャップが取り付けられ、各キャップに印画紙ロールを係止させる。次に、この印画紙ロールを、各キャップに係止された状態を維持しながら収納体内に収納し、その後、インクリボンユニットが所定の領域に収納される。
【先行技術文献】
【特許文献】
【０００５】
【特許文献１】特開２００９−５１５４１号公報
【発明の概要】
【発明が解決しようとする課題】
【０００６】
しかしながら、このような方法では、印画紙ロールとインクリボンユニットを収納体内に収納する作業が煩雑となり、収納作業の作業効率を向上させることが困難であった。また、仕切り部材に収納領域を仕切る機能と印画紙ロールを保持する機能とをもたせているため、仕切り部材の形状が複雑になり、結果として収納体を作製するためのコストがかかるという問題もあった。
【０００７】
本発明は、このような点を考慮してなされたものであり、収納作業の作業効率を向上させるとともに低コストで作製することができる収納体を提供することを目的とする。
【課題を解決するための手段】
【０００８】
本発明は、一対の印画紙ロールと、インクリボン、繰出ロール、および巻取ロールからなるインクリボンユニットとを収納する収納体において、一対の内側底フラップおよび一対の外側底フラップを含む底部と、一対の内側天井フラップおよび一対の外側天井フラップを含む天井部と、４つの側板とを有する収納ボックスを備え、収納ボックスの底部の各内側底フラップに、貫通孔が形成され、各貫通孔に印画紙ロールを係止する係合部材が挿着されたことを特徴とする収納体である。
【０００９】
本発明は、収納ボックス内は、区画板により、一対の印画紙ロールを収納するロール収納部と、インクリボンユニットを収納するリボン収納部とに区画されていることを特徴とする収納体である。
【００１０】
本発明は、係合部材の高さは、２０〜６０ｍｍであることを特徴とする収納体である。
【００１１】
本発明は、係合部材は、樹脂からなることを特徴とする収納体である。
【００１２】
本発明は、係合部材は、紙からなることを特徴とする収納体である。
【発明の効果】
【００１３】
本発明によれば、底部の各内側底フラップに形成された各貫通孔に係合部材が挿着され、各係合部材に印画紙ロールがそれぞれ係止されて、収納ボックス内に収納される。このことにより、各印画紙ロールを収納ボックス内において容易かつ確実に係止することができ、収納作業の作業効率を向上させることができる。また、各係合部材は、収納ボックスの底部の各内側底フラップに挿着されるため、係合部材を挿着するために収納ボックスとは別個の部材を設ける必要がない。このため、収納体を全体として低コストで作製することができる。
【図面の簡単な説明】
【００１４】
【図１】図１は、本発明の実施の形態において、印画紙ロールおよびインクリボンユニットが収納された収納体を示す断面図である。
【図２】図２は、本発明の実施の形態において、キャップを示す上面図である。
【図３】図３は、図２のＡ−Ａ線断面を示す図である。
【図４】図４は、本発明の実施の形態において、収納ボックス用のブランク板を示す図である。
【図５】図５は、本発明の実施の形態において、隔離パッドを示す図である。
【図６】図６（ａ）は、本発明の実施の形態において、印画紙ロールを収納ボックス内に収納する場合を示す図であり、図６（ｂ）は、インクリボンユニットを収納ボックス内に収納する場合を示す図であり、図６（ｃ）は、印画紙ロールおよびインクリボンユニットの収納が完了した場合を示す図である。
【発明を実施するための形態】
【００１５】
発明の実施の形態
以下、図面を参照して、本発明の実施の形態について説明する。ここで、図１乃至図６は、本発明の実施の形態における収納体を示す図である。
【００１６】
まず、図１により収納体１０の全体構成について説明する。ここで、収納体１０は、一対の印画紙ロール１と、インクリボン２ａ、繰出ロール２ｂ、および巻取ロール２ｃからなる２つのインクリボンユニット２とを収納するためのものである。このうち、各印画紙ロール１は、印画紙１ａが巻き付けられて円筒状に形成されたコアレスタイプの印画紙ロールからなり、樹脂製の保護袋３に収容されている。また、インクリボンユニット２は、樹脂製の保護袋４に収容され、各インクリボンユニット２の繰出ロール２ｂと巻取ロール２ｃは、それらの両端部において連結部材２ｄにより互いに連結されている。なお、このような連結部材２ｄを用いることなく、繰出ロール２ｂと巻取ロール２ｃとの間に緩衝シート（図示せず）を介在させてインクリボンユニット２が包装シート（図示せず）により覆われるようにしても良い。
【００１７】
収納体１０は、一対の内側底フラップ１２と、一対の外側底フラップ１３とを含む底部１４と、一対の内側天井フラップ１５と、一対の外側天井フラップ１６とを含む天井部１７と、４つの側板１８とを有する収納ボックス１１を備えている。この収納ボックス１１は、矩形状に形成されている。
【００１８】
底部１４の各内側底フラップ１２に貫通孔２０が形成され、各貫通孔２０に印画紙ロール１を係止するキャップ（係合部材）２１が挿着されている。なお、貫通孔２０は、印画紙ロール１の内径と略同一の穴径を有している。
【００１９】
図２および図３に示すように、キャップ２１は、印画紙ロール１のロール内周面１ｂおよび貫通孔２０に嵌合自在な円筒部２２と、この円筒部２２の下端に連結され、収納ボックス１１の底部１４の内側底フラップ１２に当接するフランジ部２３と、円筒部２２の上端にＲ面取部２４を介して連結された端壁部２５とを有している。このうち端壁部２５には、開口部２６が形成され、この開口部２６の周縁部に上方へ突出する突出部２７が形成されている。また、図２に示すように、円筒部２２の外周面の一部に、円筒部２２の軸線に平行な平坦面２８が形成されている。
【００２０】
このようなキャップ２１の高さ（図３における寸法Ｘ）は、２０〜６０ｍｍであることが好ましく、とりわけ２７ｍｍであることが好ましい。このことにより、いわゆるＬサイズ（印画紙１ａの幅が１２６ｍｍ）の印画紙１ａが巻き付けられた印画紙ロール１であっても確実に印画紙ロール１を係止して、印画紙ロール１が傾倒することを防止することができる。また、このようなキャップ２１の高さとすることにより、キャップ２１に印画紙ロール１を係止させる作業を容易に行うことができる。また、キャップ２１の円筒部２２は、印画紙ロール１のロール内周面１ｂの内径の９０％〜１００％の外径を有していることが好ましい。このことにより、キャップ２１の円筒部２２を印画紙ロール１のロール内周面１ｂに挿入した場合に印画紙ロール１がガタつくことを防止して確実に係止させることができるとともに、円筒部２２をロール内周面１ｂに挿入して確実に嵌合させることができる。
【００２１】
なお、キャップ２１は、樹脂からなっていることが好ましい。キャップ２１を形成する樹脂としては、ポリスチレン樹脂、ポリ塩化ビニル樹脂、アクリロニトリル−ブタジエン−スチレン共重合体樹脂（ＡＢＳ樹脂）、アクリロニトリル−スチレン共重合体樹脂（ＡＳ樹脂）、メタクリル樹脂、ポリカーボネート樹脂、ポリスルホン樹脂、ポリエーテルスルホン樹脂、ポリアリレート樹脂、ポリエーテルイミド樹脂、ポリアミドイミド樹脂、ポリエステル系樹脂（例えば、ポリエチレンテレフタレート樹脂やポリブチレンテレフタレート）、変性ポリフェニレンオキシド樹脂（例えば、変性ポリフェニレンエーテル樹脂）、ポリイミド樹脂、ポリフェニレンサルファイド樹脂、ポリエーテルケトン樹脂、ポリエーテルエーテルケトン樹脂、ポリエチレン樹脂らポリプロピレン樹脂といったポリオレフィン系樹脂、ポリアセタール樹脂、ポリエステルカーボネート樹脂、液晶ポリマー、エラストマー等の熱可塑性樹脂、あるいは、これらの混合物、さらにはこれらの樹脂の２種類以上からなるアロイ樹脂組成物等が挙げられる。このうち、寸法精度が良いなど成型加工性が良好で、かつ低コストである、ポリエチレン樹脂、またはポリプロピレン樹脂といったポリオレフィン系樹脂を用いることが特に好適である。また、これに限らず、キャップ２１は、パルプモールド等の紙からなっていても良い。キャップ２１が紙からなる場合には、キャップ２１を、収納ボックス１１および隔離パッド３０と分別することなく廃棄することができる。
【００２２】
図１に示すように、収納ボックス１１内は、隔離パッド（区画板）３０により、一対の印画紙ロール１を収納するロール収納部３１と、インクリボンユニット２を収納するリボン収納部３２とに区画されている。また、図５に示すように、隔離パッド３０は、収納ボックス１１の収納領域を上方から見た場合の収納領域の長辺に対応する長辺を有している。また、隔離パッド３０の短辺は、収納ボックス１１の収納領域の高さ寸法よりも低い寸法となっている。
【００２３】
ロール収納部３１は、２つの印画紙ロール１を直立させて収納可能な大きさを有し、リボン収納部３２は、２つのインクリボンユニット２を収納可能な大きさを有している。また、ロール収納部３１およびリボン収納部３２の高さ、すなわち収納ボックス１１内の収納領域の高さは、印画紙ロール１の幅に対応しており、印画紙ロール１を直立して収納した場合に、印画紙ロール１の下端面１ｃは内側底フラップ１２に当接し、印画紙ロール１の上端面１ｄが内側天井フラップ１５に当接するように構成されている。
【００２４】
次に、図４を用いて、収納ボックス１１を作製するためのブランク板４１について説明する。ブランク板４１は、板紙からなり、収納ボックス１１の底部１４の各内側底フラップ１２を形成する内側底フラップパネル４２と、各外側底フラップ１３を形成する外側底フラップパネル４３とを有している。このうち、各内側底フラップパネル４２に、上述した貫通孔２０がそれぞれ形成されている。
【００２５】
各内側底フラップパネル４２には、側板１８を形成する側板パネル４８を介して、天井部１７の内側天井フラップ１５を形成する内側天井フラップパネル４５が連結されている。同様に、各外側底フラップパネル４３には、側板パネル４８を介して、天井部１７の外側天井フラップ１６を形成する外側天井フラップパネル４６が連結されている。また、側板パネル４８の一側縁に、組立時に側板１８に接着剤等により接合される折返パネル４９が連結されている。
【００２６】
このようにして、収納ボックス１１は、一体に形成されたブランク板４１から作製される。
【００２７】
次に、このような構成からなる本実施の形態の作用について説明する。
【００２８】
まず、図４に示すようなブランク板４１を準備する。次に、ブランク板４１の４つの側面パネル４８と折返パネル４９とが互いにそれぞれ折り曲げられ、図６（ａ）に示すように、折返パネル４９と対応する側面パネル４８とが接着剤等により接合される。次に、２つの内側底フラップパネル４２が対応する側面パネル４８に対して折り曲げられる。このことにより、収納ボックス１１の側面１８が形成される。
【００２９】
折り曲げられた各内側底フラップパネル４２の貫通孔２０に、キャップ２１がそれぞれ挿着される。この場合、キャップ２１のＲ面取部２４によりキャップ２１の円筒部２２が貫通孔２０に案内される。このことにより、キャップ２１を貫通孔２０にスムースに挿入することができる。なお、貫通孔２０に挿着されたキャップ２１は、その円筒部２２が貫通孔２０に嵌合し、フランジ部２３が内側底フラップ１２（内側底フラップパネル４２）に当接している。このことにより、キャップ２１を内側底フラップ１２に確実に係止させることができる。
【００３０】
次に、２つの外側底フラップパネル４３が対応する側面パネル４８に対して折り曲げられ、各外側底フラップパネル４３が収納ボックス１１の外側において接着テープ５により接合される（図６（ｃ）参照）。このことにより、２つの内側底フラップ１２と２つの外側底フラップ１３とを有する収納ボックス１１の底部１４が形成される。この場合、図１に示すように、キャップ２１のフランジ部２３は、内側底フラップ１２（内側底フラップパネル４２）と外側底フラップ１３（外側底フラップパネル４３）とにより挟持される。このことにより、キャップ２１が貫通孔２０から抜けることを確実に防止することができる。
【００３１】
次に、図６（ａ）に示すように、収納ボックス１１の上方から予め保護袋３に収容された２つの印画紙ロール１が収納される。この場合、まず、各印画紙ロール１が、保護袋３の開口が上方を向くように、上方から収納ボックス１１内に挿入され、各印画紙ロール１のロール内周面１ｂにキャップ２１の円筒部２２が嵌合する。このことにより、印画紙ロール１がキャップ２１に係止される。また、キャップ２１のＲ面取部２４により円筒部２２がロール内周面１ｂに案内されるため、円筒部２２をロール内周面１ｂにスムースに挿入することができる。
【００３２】
次に、図６（ｂ）に示すように、印画紙ロール１が収納されるロール収納部３１と、インクリボンユニット２を収納するリボン収納部３２とを区画するように、収納ボックス１１内に隔離パッド３０が配置される。その後、隔離パッド３０によって区画されたリボン収納部３２に、予め保護袋４に収容された２つのインクリボンユニット２が収納される。
【００３３】
印画紙ロール１およびインクリボンユニット２が収納された後、２つの内側天井フラップパネル４５が対応する側面パネル４８に対して折り曲げられる。その後、２つの外側天井フラップパネル４６が対応する側面パネル４８に対して折り曲げられ、外側天井フラップパネル４６がその上面において接着テープ５により接合される（図６（ｃ）参照）。このことにより、内側天井フラップ１５と外側天井フラップ１６とを有する収納ボックス１１の天井部１７が形成され、印画紙ロール１とインクリボンユニット２が収納体１０に収納される。この場合、印画紙ロール１の下端面１ｃが内側底フラップ１２に当接するとともに、印画紙ロール１の上端面１ｄが内側天井フラップ１５に当接する。
【００３４】
ところで、印画紙ロール１およびインクリボンユニット２が収納された収納体１０から印画紙ロール１およびインクリボンユニット２を取り出す場合には、接着テープ５を剥がして外側天井フラップ１６および内側天井フラップ１５を開ける。このことにより、印画紙ロール１およびインクリボンユニット２が現れ、印画紙ロール１およびインクリボンユニット２を上方に引き上げて、収納ボックス１１から容易に取り出すことができる。
【００３５】
このように本実施の形態によれば、底部１４の各内側底フラップ１２に形成された各貫通孔２０にキャップ２１が挿着され、各キャップ２１に一対の印画紙ロール１が係止されて、収納ボックス１１内に収納される。このことにより、各印画紙ロール１を収納ボックス１１内において容易かつ確実に係止することができ、収納作業の作業効率を向上させることができる。また、各キャップ２１は、収納ボックス１１の底部１４の各内側底フラップ１２に挿着されるため、キャップ２１を挿着するために収納ボックス１１とは別個の部材を設ける必要がない。このため、収納体１０を全体として低コストで作製することができる。
【００３６】
また、本実施の形態によれば、収納ボックス１１内に収納された各印画紙ロール１は、キャップ２１によって水平方向の動きが規制されている。さらに、各印画紙ロール１は、その下端面１ｃが収納ボックス１の内側底フラップ１２に当接するとともに、上端面１ｄが収納ボックス１１の内側天井フラップ１５に当接していることにより、垂直方向の動きも規制される。このことにより、各印画紙ロール１が収納された収納体１０に垂直方向の剛性をもたせることができる。このため、各印画紙ロール１およびインクリボンユニット２に衝撃が与えられることを防止することができる。
【００３７】
さらに、本実施の形態によれば、インクリボンユニット２は、印画紙ロール１に隔離パッド３０を介在させて収納ボックス１１内に容易に収納される。このため、インクリボンユニット２の収納作業の作業効率を確実に向上させることができる。また、このように収納ボックス１１内において、印画紙ロール１とインクリボンユニット２との間に隔離パッド３０が介在されていることにより、輸送中に、印画紙ロール１とインクリボンユニット２が互いに衝突して、損傷することを確実に防止することができる。
【００３８】
なお、本実施の形態においては、印画紙ロール１が、印画紙１ａが巻付けられて円筒状に形成されたコアレスタイプの印画紙ロールからなり、ロール内周面１ｂにキャップ２１の円筒部２２が嵌合する例について述べた。しかしながらこのことに限られることはなく、印画紙ロール１は、印画紙１ａと、この印画紙１ａが巻き付けられる円筒状の巻付軸（図示せず）とを有し、この巻付軸の内周面にキャップ２１の円筒部２２が嵌合するように構成してもよい。この場合においても、印画紙ロールを確実に係止させることができる。
【００３９】
また、本実施の形態においては、収納ボックス１１内は、隔離パッド３０により、ロール収納部３１とリボン収納部３２とに区画され、各印画紙ロール１とインクリボンユニット２との間に隔離パッド３０が介在されている例について述べた。しかしながらこのことに限られることはなく、各印画紙ロール１とインクリボンユニット２との間に隔離パッド３０を介在させることなく、各印画紙ロール１とインクリボンユニット２とを収納ボックス１１内に収納するようにしても良い。
【００４０】
さらに、本実施の形態においては、キャップ２１が円筒状に形成されている例について述べた。しかしながらこのことに限られることはなく、キャップは、貫通孔２０に挿着して印画紙ロール１を係止可能であれば、多角柱状など、任意の形状とすることができる。
【符号の説明】
【００４１】
１      印画紙ロール
１ａ    印画紙
１ｂ    ロール内周面
１ｃ    下端面
１ｄ    上端面
２      インクリボンユニット
２ａ    インクリボン
２ｂ    繰出ロール
２ｃ    巻取ロール
２ｄ    連結部材
３、４ 保護袋
５      接着テープ
１０    収納体
１１    収納ボックス
１２    内側底フラップ
１３    外側底フラップ
１４    底部
１５    内側天井フラップ
１６    外側天井フラップ
１７    天井部
１８    側板
２０    貫通孔
２１    キャップ
２２    円筒部
２３    フランジ部
２４    Ｒ面取部
２５    端壁部
２６    開口部
２７    突出部
２８    平坦面
３０    隔離パッド
３１    ロール収納部
３２    リボン収納部
４１    ブランク板
４２    内側底フラップパネル
４３    外側底フラップパネル
４５    内側天井フラップパネル
４６    外側天井フラップパネル
４８    側板パネル
４９    折返パネル
【図１】
2011073698.tif 000003
【図２】
2011073698.tif 000004
【図３】
2011073698.tif 000005
【図４】
2011073698.tif 000006
【図５】
2011073698.tif 000007
【図６】
2011073698.tif 000008